(57)【要約】【課題】吹き出し風が高温となり乾燥を目的とした衣類を熱変色させることを防止し、衣類の乾燥時間が長くなることを防止することができることを目的とする。【解決手段】制御手段１４にはあらかじめ記憶している風向可変手段９の整流板１０の向きによる加熱手段５の出力を入切するための吸込み温度検知テーブル設けるという構成にしたことにより、吹き出し風が縮小する方向に整流板１０を設定した場合は加熱手段５を入切させる吸い込み温度を低めに設定し、吹き出し風が拡大する方向に整流板１０を設定した場合は加熱手段５を入切させる吸い込み温度を高めに設定することにより、衣類を熱変色させることを防止するとともに衣類の乾燥時間が長くなることを防止することができる浴室空気調和機を得られる。【選択図】図１
2014122752.tif 000002
【特許請求の範囲】
【請求項１】
浴室の空気を吸い込む吸い込み口と、前記浴室の空気を循環する循環送風手段と、吸い込み空気の温度を検知する吸い込み温度検知手段と、前記吸い込み空気を加熱する加熱手段と、前記浴室に空気を吹き出す吹き出し口と、前記吹き出し口に吹き出し風を拡大させる方向と縮小させる方向へ風向可変させる整流板による風向可変手段と、前記循環送風手段と前記加熱手段と前記整流板を制御する制御手段とを設け、吹き出し風が縮小する方向に前記整流板を設定した場合は前記加熱手段を入切させる吸い込み温度の閾値を低めに設定し、吹き出し風が拡大する方向に前記整流板を設定した場合は前記加熱手段を入切させる吸い込み温度の閾値を高めに設定することを特徴とした浴室空気調和機。
【請求項２】
浴室の空気を吸い込む吸い込み口と、前記浴室の空気を循環する循環送風手段と、吸い込み空気の温度を検知する吸い込み温度検知手段と、前記吸い込み空気を加熱する加熱手段と、前記浴室に空気を吹き出す吹き出し口と、前記吹き出し口に吹き出し風を拡大させる方向と縮小させる方向へ風向可変させる整流板と吹き出し方向を変更する風向板による風向可変手段と、前記循環送風手段と前記加熱手段と前記整流板と前記風向板を制御する制御手段とを設け、吹き出し風が縮小する方向に前記整流板を設定した場合の前記風向板の可動範囲は、吹き出し風が拡大する方向に前記整流板を設定した場合の可動範囲よりも狭くすることを特徴とした浴室空気調和機。
【発明の詳細な説明】
【技術分野】
【０００１】
本発明は、加熱手段を備えて暖房運転や乾燥運転を行う浴室空気調和機に関するものである。
【背景技術】
【０００２】
従来、この種の浴室空気調和機は、浴室内の空気を吸い込んで浴室に吹き出す循環ファンと、吸い込み口と吹き出し口を連通する循環風路と、循環風路内に加熱手段と、加熱手段の上流側に吸い込み温度検知手段と、吹き出し口には浴室内吹き出し風を拡大させる方向と縮小させる方向の整流板を設けた風向可変手段を備えるものが知られている（例えば、特許文献１参照）。
【先行技術文献】
【特許文献】
【０００３】
【特許文献１】特開２００６−２７５３４５号公報
【発明の概要】
【発明が解決しようとする課題】
【０００４】
このような従来の浴室空気調和機においては、電気を熱源とした高温の加熱手段を吹き出し口近傍に配置した場合、浴室内の温度の上昇かつ風向可変により吹き出し開口が狭まり風量が減少することで、吹き出し風が高温となり乾燥を目的とした衣類を熱変色させる場合があり、吹き出し温度が高温にならないように吹き出し風が縮小する方向に整流板を設定した場合を基準に加熱手段の入切を制御するための浴室内検知温度パラメータを決定すると、吹き出し風が拡大する方向に整流板を設定した場合においては低い温度にて加熱手段を切とさせなければならないため吹き出し温度が抑えられることで衣類の乾燥促進が阻害され、衣類の乾燥時間が長くなるという課題を有していた。
【０００５】
そこで本発明は、上記従来の課題を解決するものであり、浴室内の温度の上昇かつ吹き出し風が縮小する方向に整流板を設定され風量が減少した場合でも吹き出し風が高温となり乾燥を目的とした衣類を熱変色させることを防止するとともに、吹き出し風が拡大する方向に整流板を設定した場合の衣類の乾燥時間が長くなることを防止することができる浴室空気調和機を提供することを目的とする。
【課題を解決するための手段】
【０００６】
そして、この目的を達成するために、本発明は、浴室の空気を吸い込む吸い込み口と、前記浴室の空気を循環する循環送風手段と、吸い込み空気の温度を検知する吸い込み温度検知手段と、前記吸い込み空気を加熱する加熱手段と、前記浴室に空気を吹き出す吹き出し口と、前記吹き出し口に吹き出し風を拡大させる方向と縮小させる方向へ風向可変させる整流板による風向可変手段と、前記循環送風手段と前記加熱手段と前記整流板を制御する制御手段とを設け、吹き出し風が縮小する方向に前記整流板を設定した場合は前記加熱手段を入切させる吸い込み温度の閾値を低めに設定し、吹き出し風が拡大する方向に前記整流板を設定した場合は前記加熱手段を入切させる吸い込み温度の閾値を高めに設定するものであり、これにより所期の目的を達成するものである。
【発明の効果】
【０００７】
本発明によれば、本発明は、浴室の空気を吸い込む吸い込み口と、前記浴室の空気を循環する循環送風手段と、吸い込み空気の温度を検知する吸い込み温度検知手段と、前記吸い込み空気を加熱する加熱手段と、前記浴室に空気を吹き出す吹き出し口と、前記吹き出し口に吹き出し風を拡大させる方向と縮小させる方向へ風向可変させる整流板による風向可変手段と、前記循環送風手段と前記加熱手段と前記整流板を制御する制御手段とを設け、吹き出し風が縮小する方向に前記整流板を設定した場合は前記加熱手段を入切させる吸い込み温度の閾値を低めに設定し、吹き出し風が拡大する方向に前記整流板を設定した場合は前記加熱手段を入切させる吸い込み温度の閾値を高めに設定するという構成にしたことにより、吹き出し風が縮小する方向に前記整流板を設定した場合は前記加熱手段を入切させる吸い込み温度の閾値を低めに設定し、吹き出し風が拡大する方向に前記整流板を設定した場合は前記加熱手段を入切させる吸い込み温度の閾値を高めに設定するので、浴室内の温度の上昇かつ吹き出し風が縮小する方向に整流板を設定され風量が減少した場合でも吹き出し風が高温となり乾燥を目的とした衣類を熱変色させることを防止するとともに、吹き出し風が拡大する方向に整流板を設定した場合の衣類の乾燥時間が長くなることを防止することができる、という効果を得ることができる。
【図面の簡単な説明】
【０００８】
【図１】本発明の実施の形態１の浴室空気調和機の内部構成を示す側面図
【図２】同浴室空気調和機の浴室内の設置を示す斜視図
【図３】同浴室空気調和機の風向可変手段の整流板を示す図（（ａ）吹き出し風が拡大する整流板の設置を示す図、（ｂ）吹き出し風が縮小する整流板の設置を示す図）
【図４】同浴室空気調和機の風向板の可動範囲を示す側面図
【発明を実施するための形態】
【０００９】
本発明の請求項１記載の浴室空気調和機は、浴室の空気を吸い込む吸い込み口と、前記浴室の空気を循環する循環送風手段と、吸い込み空気の温度を検知する吸い込み温度検知手段と、前記吸い込み空気を加熱する加熱手段と、前記浴室に空気を吹き出す吹き出し口と、前記吹き出し口に吹き出し風を拡大させる方向と縮小させる方向へ風向可変させる整流板による風向可変手段と、前記循環送風手段と前記加熱手段と前記整流板を制御する制御手段とを設け、吹き出し風が縮小する方向に前記整流板を設定した場合は前記加熱手段を入切させる吸い込み温度の閾値を低めに設定し、吹き出し風が拡大する方向に前記整流板を設定した場合は前記加熱手段を入切させる吸い込み温度の閾値を高めに設定するという構成を有する。これにより、吹き出し風が縮小する方向に前記整流板を設定した場合は前記加熱手段を入切させる吸い込み温度の閾値を低めに設定し、吹き出し風が拡大する方向に前記整流板を設定した場合は前記加熱手段を入切させる吸い込み温度の閾値を高めに設定することで、浴室内の温度の上昇かつ吹き出し風が縮小する方向に整流板を設定され風量が減少した場合でも吹き出し風が高温となり乾燥を目的とした衣類を熱変色させることを防止するとともに、吹き出し風が拡大する方向に整流板を設定した場合の衣類の乾燥時間が長くなることを防止することができる、という効果を奏する。
【００１０】
また、浴室の空気を吸い込む吸い込み口と、前記浴室の空気を循環する循環送風手段と、吸い込み空気の温度を検知する吸い込み温度検知手段と、前記吸い込み空気を加熱する加熱手段と、前記浴室に空気を吹き出す吹き出し口と、前記吹き出し口に吹き出し風を拡大させる方向と縮小させる方向へ風向可変させる整流板と吹き出し方向を変更する風向板による風向可変手段と、前記循環送風手段と前記加熱手段と前記整流板と前記風向板を制御する制御手段とを設け、吹き出し風が縮小する方向に前記整流板を設定した場合の前記風向板の可動範囲は、吹き出し風が拡大する方向に前記整流板を設定した場合の可動範囲よりも狭くするという構成にしてもよい。これにより、吹き出し風が縮小する方向に整流板を設定した場合は吹き出し風が拡大する方向に整流板を設定した場合よりも吹き出し風量が少なく、吹き出し風の温度が上昇しやすいが、風向板の可動範囲を吹き出し風が拡大する方向に整流板を設定された場合より狭くすることで、吹き出し風が縮小する方向に整流板を設定した場合の吹き出し風の温度上昇を抑制することとなるので、吹き出し風が拡大する方向に整流板を設定した場合の加熱手段を入切させる回数が減り、衣類の乾燥時間が長くなることを防止することができ、かつ吹き出し風が縮小する方向に整流板を設定した場合に浴室内吹き出し風が高温となり乾燥を目的とした衣類を熱変色させることを防止することができるという効果を奏する。
【００１１】
以下、本発明の実施の形態について図面を参照しながら説明する。
【００１２】
（実施の形態１）
図１、および図２に示すように、図２の浴室１内に浴室空気調和機の本体２を上方に設け、図１に示すシロッコファンである循環送風手段３を駆動することにより図２の浴室１内の空気は、本体２の側面の吸い込み口４から本体２に吸い込まれ、空気を循環するシロッコファンである循環送風手段３を通って空気を加熱する加熱手段５を介し吹き出し口６から浴室１内に吹き出される。
【００１３】
図１に示す循環送風手段３と加熱手段５との間に吸い込み空気温度を検知する吸い込み温度検知手段７が設けられている。
【００１４】
加熱手段５は電気加熱ヒーター８であり、送られた空気は加熱手段５により加熱され、加熱された空気は吹き出し口６へ送られる。
【００１５】
吹き出し口６には、吹き出す風を変更する風向可変手段９として吹き出し風を縮小または拡大させる整流板１０と吹き出し風の風向を変更する風向板１１が設けられている。整流板１０と風向板１１は、整流板用電動機１２と風向板用電動機１３の軸を介してそれぞれに連結されており、整流板用電動機１２と風向板用電動機１３の駆動により整流板１０と風向板１１は回転する。
【００１６】
循環送風手段３、加熱手段５、整流板用電動機１２、風向板用電動機１３のそれぞれは制御手段１４と接続されそれぞれ制御されている。制御手段１４は、換気運転や乾燥運転時の排気を要する運転時に排気を行う排気送風手段１５とも接続され制御している。
【００１７】
図３に示すように、整流板１０は、整流板用電動機１２（図示せず、図１に記載）で回転駆動させて図３（ａ）の位置におくことにより吹き出し風を横方向に拡大させ、図３（ｂ）の位置におくことにより吹き出し風を中央に縮小させる。図１に示す風向板１１は、風向板用電動機１３で回転駆動させて任意の位置におくことにより前方への吹き出し風向を変えることができる。
【００１８】
上記構成により、乾燥運転を行うと制御手段１４が風向板用電動機１３を駆動させて風向板１１が本体２内から下方へ風を吹き出すことができる位置に開き、制御手段１４から循環送風手段３と排気送風手段１５および、加熱手段５に運転の指示が出力される。図２に示すように、浴室１内の空気は循環送風手段３の運転により本体２の側面の吸い込み口４から本体２内に吸い込まれ、吸い込んだ空気の温度を吸い込み温度検知手段７で検知され、加熱手段５の電気加熱ヒーター８により加熱され例えば９０度の高温となって吹き出し口６から浴室１に向かって吹き出される。乾燥を目的とした衣類は浴室１内の本体２の底面である吹き出し口６近傍に吊るされ、吹き出し口６から吹き出された温風にさらされることで衣類から水分の蒸発が促進され、その結果衣類が乾燥するが、水分の蒸発によって高湿度になった浴室１内の空気は、浴室１の天井に設けられたシロッコファンである排気送風手段１５の運転により浴室１から屋外に排気される。このとき、電気加熱ヒーター８で加熱され高温となる空気の温度は、電気加熱ヒーター８を通過する風量が少ないほど、また電気加熱ヒーター８を通過する空気すなわち吸い込み温度が高いほど高くなる。吸い込み温度は吸い込み温度検知手段７で検知されるが、吹き出し口６から吹き出され衣類に当たる空気の温度が高くなりすぎると衣類を熱変色させるので、吸い込み温度検知手段７で検知された吸い込み空気温度に従い電気加熱ヒーター８への出力を入切して吹き出し口６から吹き出される空気の温度が高くなりすぎないようにして衣類の熱変色を防止することとなる。しかしながら、吹き出し口６に設けられた風向可変手段９の整流板１０が拡大方向もしくは縮小方向のいずれに設定されるかによって、吹き出される風量すなわち電気加熱ヒーター８を通過する風量は変化するが、衣類の熱変色を防止するために吹き出し口６から吹き出される空気の温度が高くなりすぎないように風量が少なくなる風向可変手段９の整流板１０が縮小方向に設定された場合を基準に電気加熱ヒーター８への出力を入切する閾値である吸い込み温度検知テーブル（図示せず）をもつと、風向可変手段９の整流板１０が拡大方向に設定された場合すなわち電気加熱ヒーター８を通過する風量が多い場合に、吹き出し口６から吹き出される空気の温度が高くならず、その結果衣類の乾燥時間が長くなってしまう。それを防止するために、風向可変手段９の整流板１０が拡大方向か縮小方向かによって電気加熱ヒーター８への出力を入切する吸い込み温度検知テーブルを制御手段１４にもつものである。
【００１９】
このような構成によれば、吹き出し風が拡大する方向に整流板１０が設定され風量が多い場合には温度検知テーブルにより低い吸い込み温度である閾値にて電気加熱ヒーター８を切とさせる必要がないので、衣類の乾燥時間が長くなることを防止するとともに、吹き出し風が縮小する方向に整流板１０が設定され風量が小さい場合には低い吸い込み温度にて電気加熱ヒーター８を切とすることにより、衣類の熱変色を防止することができる。
【００２０】
なお、上記では整流板１０の位置をステッピングモーターである整流板用電動機１２の制御にて検知しているが、整流板１０を手動で位置決めする構造にし、整流板用電動機１２にかえて整流板１０の位置を検知する整流板位置検知手段で検知制御してもその作用効果に差異を生じない。
【００２１】
（実施の形態２）
実施の形態１と同じ構成については同じ番号を付与して詳細な説明は省略する。
【００２２】
また、吹き出し風が縮小する方向に整流板１０を設定した場合の風向板１１の上下方向の可動範囲は、吹き出し風が拡大する方向に整流板１０を設定した場合の可動範囲よりも狭くするという構成にしてもよい。参照例として図４を示す。吹き出し風が縮小する方向に整流板１０を設定された場合は吹き出し風が拡大する方向に整流板１０が設定された場合よりも吹き出し風量が少なく吹き出し風の温度が上昇しやすいが、風向板１１の可動範囲を吹き出し風が拡大する方向に整流板１０を設定した場合より狭くし、風向板１１の位置による吹き出し風量の低下を抑えるように制御テーブルを制御手段１４がもつものである。これにより、縮小する方向に整流板１０を設定した場合の吹き出し風の温度上昇を抑制することとなり、吹き出し風が拡大する方向に整流板１０を設定した場合の電気加熱ヒーター８を入切させる回数が減り、衣類の乾燥時間が長くなることを防止することができ、かつ吹き出し風が縮小する方向に整流板１０を設定した場合に浴室内吹き出し風が高温となり乾燥を目的とした衣類を熱変色させることを防止することができる。
【産業上の利用可能性】
【００２３】
本発明にかかる浴室空気調和機は、吹き出し風が高温となり乾燥を目的とした衣類を熱変色させることを防止するとともに衣類の乾燥時間が長くなることを防止することを可能とするものであるので、衣類乾燥装置の制御手段等として有用である。
【符号の説明】
【００２４】
１    浴室
２    本体
３    循環送風手段
４    吸い込み口
５    加熱手段
６    吹き出し口
７    吸い込み温度検知手段
８    電気加熱ヒーター
９    風向可変手段
１０  整流板
１１  風向板
１２  整流板用電動機
１３  風向板用電動機
１４  制御手段
１５  排気送風手段
【図１】
2014122752.tif 000003
【図２】
2014122752.tif 000004
【図３】
2014122752.tif 000005
【図４】
2014122752.tif 000006